(57)【要約】【課題】アンテナを適切に固定した状態でアンテナの設置角度を調整することを可能にする。【解決手段】支持ポール２にアンテナ１０を取り付けるための取付構造１であって、支持ポール２を挟んだ状態で支持ポール２に締め付け固定されるクランプと、方位角方向へ回動自在に取り付けられる方位角調整金具５と、方位角調整金具５に連結され、仰角方向へ回動自在に取り付けられる仰角調整金具６とを備え、前記クランプが、支持ポール２の軸線方向に分割された上クランプ３及び下クランプ４から構成され、方位角調整金具５が、支持ポール２の軸線方向に延設された連結ボルト９を通じて上下のクランプ３、４と連結されるとともに、連結ボルト９を支軸として軸回りに回動自在に構成される。【選択図】図１
2011023845.tif 000002
【特許請求の範囲】
【請求項１】
支柱に物体を取り付けるための取付構造であって、
前記支柱を挟んだ状態で該支柱に締め付け固定されるクランプと、
方位角方向へ回動自在に取り付けられる方位角調整部とを備え、
前記クランプが、前記支柱の軸線方向に分割された複数のクランプから構成され、
前記方位角調整部が、前記支柱の軸線方向に延設された連結軸を通じて前記複数のクランプと連結されるとともに、前記連結軸を支軸として回動自在であることを特徴とする支柱への物体の取付構造。
【請求項２】
前記複数のクランプが、前記連結軸を支軸として回動自在に構成されるとともに、該クランプの各々が独立して回動し得ることを特徴とする請求項１に記載の支柱への物体の取付構造。
【請求項３】
前記クランプの側端部に配置され、前記支柱の軸線方向に延設される第１の軸と、
前記方位角調整部の側端部に配置され、鉛直軸回りに回動自在に構成された第２の軸と、
前記第１の軸に穿設されたねじ孔に螺挿されるとともに、終端部が前記第２の軸に連結される方位角調整ボルトとを備えることを特徴とする請求項１又は２に記載の支柱への物体の取付構造。
【請求項４】
前記方位角調整ボルトに螺着され、該方位角調整ボルトの頭部と前記第１の軸との間に配置された第１の締結ナットと、
前記方位角調整ボルトに螺着され、前記第１の軸と前記第２の軸との間に配置された第２の締結ナットとを備えることを特徴とする請求項３に記載の支柱への物体の取付構造。
【請求項５】
前記方位角調整部に連結され、仰角方向へ回動自在に取り付けられる仰角調整部を備えることを特徴とする請求項１乃至４のいずれかに記載の支柱への物体の取付構造。
【請求項６】
前記クランプが、前記支柱を挟むように配置された受け金具及び押さえ金具を有し、該押さえ金具を該受け金具に向けて締め付けることにより前記支柱に締め付け固定されることを特徴とする請求項１乃至５のいずれかに記載の支柱への物体の取付構造。
【請求項７】
前記受け金具及び押さえ金具が押し出し成形品であることを特徴とする請求項６に記載の支柱への物体の取付構造。
【請求項８】
前記物体がアンテナであることを特徴とする請求項１乃至７のいずれかに記載の支柱への物体の取付構造。
【発明の詳細な説明】
【技術分野】
【０００１】
本発明は、物体を支柱に取り付ける取付構造に関し、特に、アンテナを支持ポールに固定するアンテナ取付金具に関する。
【背景技術】
【０００２】
支持ポールへのアンテナの取り付けに際しては、アンテナを固定するだけでなく、アンテナが適切な方向へ向くように向きを調整する必要があるため、アンテナを方位角方向や仰角方向に動かすための機構をアンテナ取付金具に設ける必要がある。
【０００３】
また、屋外に設置された支持ポールにアンテナを取り付けた場合、強風や積雪の影響で、アンテナに多大な風荷重や積雪荷重が加わることがある。これらは、アンテナを方位角方向や仰角方向に回転させる要因となるため、アンテナ指向方向のずれを招き、送受信感度の低下を誘発することになる。さらに、荷重によりアンテナの落下事故を招く場合もあり、アンテナの取り付けに際しては、強風や積雪でアンテナが回転したり、荷重でアンテナが落下することがないよう対策を講じる必要がある。
【０００４】
そこで、例えば、特許文献１には、図８に示すように、支柱３０を中心に挟んで対向して配設されるとともに、支柱３０の高さ方向の上下に分割され、各々が支柱３０の高さ方向及び支柱回り方向に調整自在に固定される上クランプ３１、３２及び下クランプ３３、３４からなる本体固定部３５と、上クランプ３１に仰角回転軸３６を中心にして回転可能に取り付けられ、かつ、アンテナ３７に固着されるアンテナ金具３８と、上クランプ３１の長孔３９と下クランプ３４のねじ孔４０の間を螺動し、上クランプ３１、３２を押し引きする方位角調整ボルト４１と、アンテナ金具３８の係合孔４２と上クランプ３１のナット部４３の間を螺動し、アンテナ金具３８を押し引きする仰角調整ボルト４４とを備えたアンテナ方向調整装置が提案されている。
【０００５】
上記アンテナ方向調整装置においては、上クランプ３１、３２及び下クランプ３３、３４の各々で支柱３０を締め付けることで、上下のクランプ３１〜３４を支柱３０に固定し、アンテナ３７を強固に固定する。また、アンテナ３７の方位角を調整する場合には、上クランプ３１、３２の締め付けを緩めた上で、方位角調整ボルト４１を通じて上クランプ３１、３２を支柱３０の軸回りに回動させ、アンテナ３７を方位角方向に回動させる。さらに、アンテナ３７の仰角を調整する場合には、固定ボルト４５を緩めた上で、仰角回転軸３６を支軸としてアンテナ金具３８を回動させ、アンテナ３７を仰角方向に回動させる。
【先行技術文献】
【特許文献】
【０００６】
【特許文献１】特開平１０−３１３２０４号公報
【発明の概要】
【発明が解決しようとする課題】
【０００７】
しかし、特許文献１に記載のアンテナ方向調整装置においては、アンテナ方位角の調整に際し、上クランプ３１、３２の締め付けを緩める必要があるため、その間、下クランプ３３、３４の締め付けのみでアンテナ３７を支えることになる。このため、アンテナ３７の固定状態が不安定となり、アンテナ３７の滑落事故を招く虞があった。
【０００８】
また、アンテナ方位角の調整後は、アンテナ３７を所望の方位角まで回動させた位置で上クランプ３１、３２を締め付けることになるが、上クランプ３１、３２の締め付けを完全に緩めた状態から締め付けていくため、締め付けていく過程で上クランプ３１、３２が除々に回動し、アンテナ３７の指向方向がずれる虞があった。
【０００９】
こうした問題は、アンテナの取り付けに限らず、電源ユニット、通信ユニット及び監視カメラ等を支柱に取り付ける場合にも概ね同様に生じ、多種の分野において新たな取付構造の開発が望まれていた。
【００１０】
そこで、本発明は、上記従来の技術における問題点に鑑みてなされたものであって、物体を支柱に取り付ける取付構造において、物体を適切に固定した状態で物体の設置角度を調整したり、設置角度の調整精度を向上させることが可能な取付構造を提供することを目的とする。
【課題を解決するための手段】
【００１１】
上記目的を達成するため、本発明は、支柱に物体を取り付けるための取付構造であって、前記支柱を挟んだ状態で該支柱に締め付け固定されるクランプと、方位角方向へ回動自在に取り付けられる方位角調整部とを備え、前記クランプが、前記支柱の軸線方向に分割された複数のクランプから構成され、前記方位角調整部が、前記支柱の軸線方向に延設された連結軸を通じて前記複数のクランプと連結されるとともに、前記連結軸を支軸として回動自在であることを特徴とする。
【００１２】
そして、本発明によれば、物体の設置角度を調整するにあたり、複数のクランプの締め付けを緩めることなく、物体の角度を変更することができるため、物体を適切に固定した状態で設置角度を調整することができ、物体の滑落事故を防止することが可能になる。
【００１３】
上記支柱への物体の取付構造において、前記複数のクランプを、前記連結軸を支軸として回動自在とするとともに、該クランプの各々が独立して回動し得るように構成することができる。
【００１４】
上記構成によれば、支柱の曲がり具合に応じて各クランプの中心軸をずらすことができるため、支柱が曲がっていても取付構造を適切に装着することが可能になる。また、各々のクランプで締め付け具合を別個に調整することができるため、支柱の側面に段差が形成されていても取付構造を適切に固定することが可能になる。
【００１５】
上記支柱への物体の取付構造において、前記クランプの側端部に配置され、前記支柱の軸線方向に延設される第１の軸と、前記方位角調整部の側端部に配置され、鉛直軸回りに回動自在に構成された第２の軸と、前記第１の軸に穿設されたねじ孔に螺挿されるとともに、終端部が前記第２の軸に連結される方位角調整ボルトとを備えることができる。これによれば、最終的な締め付けに際して、不意に方位角調整部が動くのを抑制することができ、角度調整の精度を向上させることが可能になる。
【００１６】
上記支柱への物体の取付構造において、前記方位角調整ボルトに螺着され、該方位角調整ボルトの頭部と前記第１の軸との間に配置された第１の締結ナットと、前記方位角調整ボルトに螺着され、前記第１の軸と前記第２の軸との間に配置された第２の締結ナットとを備えることができる。
【００１７】
上記支柱への物体の取付構造において、前記方位角調整部に連結され、仰角方向へ回動自在に取り付けられる仰角調整部を備えることができる。
【００１８】
上記支柱への物体の取付構造において、前記クランプが、前記支柱を挟むように配置された受け金具及び押さえ金具を有し、該押さえ金具を該受け金具に向けて締め付けることにより前記支柱に締め付け固定されるように構成することができる。
【００１９】
上記支柱への物体の取付構造において、前記受け金具及び押さえ金具を押し出し成形品とすることができ、また、前記物体をアンテナとすることができる。
【発明の効果】
【００２０】
以上のように、本発明によれば、物体を支柱に取り付ける取付構造において、物体を適切に固定した状態で物体の設置角度を調整したり、設置角度の調整精度を向上させることが可能になる。
【図面の簡単な説明】
【００２１】
【図１】本発明にかかる取付構造の第１の実施形態を示す斜視図である。
【図２】図１の取付構造の一部を分解した分解斜視図である。
【図３】本発明にかかる取付構造の第２の実施形態を示す斜視図である。
【図４】図３の取付構造の取付方法を説明するための上面図である。
【図５】本発明にかかる取付構造の他の実施形態を示す斜視図である。
【図６】本発明にかかる取付構造の他の実施形態を示す斜視図である。
【図７】本発明にかかる取付構造の他の実施形態を示す斜視図である。
【図８】従来のアンテナ取付金具を示す斜視図である。
【発明を実施するための形態】
【００２２】
次に、発明を実施するための形態について、図面を参照しながら詳細に説明する。尚、以下においては、本発明にかかる取付構造をアンテナの取付金具に適用した場合を例にとって説明する。
【００２３】
図１及び図２は、本発明にかかる取付構造の第１の実施形態を示し、この取付構造１は、大別して、上クランプ３と、上クランプ３の下方に配置される下クランプ４と、これらクランプ３、４に連結される方位角調整金具５と、方位角調整金具５に連結される仰角調整金具６とから構成される。
【００２４】
上クランプ３は、相対向して配置される上面視山括弧状の受け金具３ａ及び押さえ金具３ｂと、両者を連結する締結ボルト３ｃ及び締結ナット３ｄとを備える。受け金具３ａと押さえ金具３ｂの間隔は、締結ナット３ｄの締め具合を調整することで拡縮することができ、支持ポール２の径に応じて適宜調整することが可能である。
【００２５】
受け金具３ａの手前側の端部（図１の紙面上、手前側に位置する端部）には、円柱状の第１のシャフト７の上端部が挿入される。第１のシャフト７の中央部に穿設されたねじ孔には、方位角調整金具５の角度を調整するための方位角調整ボルト８ａが螺挿され、方位角調整ボルト８ａには、方位角調整金具５の角度を固定するための締結ナット８ｂ、８ｃが螺着される。また、図２に示すように、受け金具３ａの中央の端部には、受け金具３ａと方位角調整金具５を連結する連結ボルト９を挿通するための貫通孔３ｅが穿設される。
【００２６】
下クランプ４は、図１に示すように、上クランプ３と同様、相対向して配置される受け金具４ａ及び押さえ金具４ｂと、両者を連結する締結ボルト４ｃ及び締結ナット４ｄとを備える。また、受け金具４ａの手前側の端部には、第１のシャフト７の下端部が挿入され、さらに、受け金具４ａの中央の端部には、連結ボルト９を挿通するための貫通孔４ｅが穿設される。
【００２７】
方位角調整金具５は、アンテナ１０の方位角を調整するためのものであり、図２に示すように、平板状の金具本体５ａと、金具本体５ａの奥側端部に形成された上面視台形状の突出部５ｂとを備える。突出部５ｂの上端部及び下端部には、連結ボルト９を螺入するためのねじ孔５ｃが設けられる。
【００２８】
また、金具本体５ａの手前側端部には、円柱状の第２のシャフト５ｄが鉛直軸回りに回動自在な状態で配置され、第２のシャフト５ｄの中央部には、方位角調整ボルト８ａの終端部が螺着される。さらに、金具本体５ａの手前側端部には、第３のシャフト５ｅが横方向に延設され、第３のシャフト５ｅに穿設されたねじ孔には、仰角調整金具６の角度を調整するための仰角調整ボルト１１が螺挿される。
【００２９】
上記の方位角調整金具５は、上クランプ３と下クランプ４の間に配置され、その状態で、連結ボルト９を通じて上クランプ３及び下クランプ４と連結される。このため、方位角調整金具５は、連結ボルト９を支軸として連結ボルト９の軸回りに回動自在となっている。
【００３０】
尚、上クランプ３、下クランプ４及び方位角調整金具５の連結は、軸長の短い２本の連結ボルト９を上下に配置し、上クランプ３及び方位角調整金具５の連結と、下クランプ４及び方位角調整金具５の連結とを別個に行ってもよいし、軸長の長い１本の連結ボルト９により上クランプ３、下クランプ４及び方位角調整金具５の三部材を連結するようにしてもよい。
【００３１】
仰角調整金具６は、アンテナ１０の仰角を調整するためのものであり、図２に示すように、上面視Ｌ字状に形成された金具本体６ａと、金具本体６ａの手前側端部に形成された受け部６ｂとを備える。金具本体６ａの方位角調整金具５との接触部６ｄには、ボルト６ｅを挿通するための弓状の長孔６ｆと、ボルト６ｇを挿通する取付孔とが穿設される。金具本体６ａは、ボルト６ｅ、６ｇにより方位角調整金具５に連結されるとともに、ボルト６ｇを支軸として仰角方向へ回動自在に構成される。
【００３２】
一方、金具本体６ａのアンテナ１０との接触部６ｉには、アンテナ１０に装着されたアンテナ保持金具１２を取り付けるための取付孔６ｊが穿設される。
【００３３】
また、受け部６ｂは、仰角調整金具６と仰角調整ボルト１１を連結するためのものであり、その下端部には、仰角調整ボルト１１の終端部を挿通するための貫通孔６ｃが穿設される。尚、仰角調整ボルト１１は、貫通孔６ｃから突出する部分に留めピン６ｋ（図１参照）を挿入することで、仰角調整金具６と連結される。
【００３４】
次に、上記の取付構造１を用いたアンテナ１０の取り付け方法について、図１及び図２を参照しながら説明する。
【００３５】
先ず、図２に示すように、受け金具３ａ、４ａと押さえ金具３ｂ、４ｂの間隔を拡げた状態で、上クランプ３及び下クランプ４の中央に支持ポール２を通す。その後、図１に示すように、上クランプ３及び下クランプ４の各々で、受け金具と押さえ金具の間隔を狭め、両クランプ３、４を支持ポール２に締め付け固定する。次いで、仰角調整金具６にアンテナ保持金具１２をねじ止めし、アンテナ１０を取り付ける。
【００３６】
そして、アンテナ１０の方位角を調整するにあたっては、連結ボルト９及び締結ナット８ｂ、８ｃ（図１参照）を緩め、締結ナット８ｂを第１のシャフト７から離間させるとともに、締結ナット８ｃを第２のシャフト５ｄから離間させる。
【００３７】
次に、方位角調整ボルト８ａを回転させてボルト軸方向に移動させ、方位角調整金具５の側端部を押し引きする。これにより、方位角調整金具５を連結ボルト９の軸回りに回動させ、アンテナ１０の方位角を変更する。アンテナ方位角が定まった後は、連結ボルト９を締め付けるとともに、締結ナット８ｂ、８ｃを締め付けて第１のシャフト７及び第２のシャフト５ｄの各々に当接させ、方位角調整金具５の設置角度を固定する。
【００３８】
一方、アンテナ１０の仰角を調整する場合には、ボルト６ｅ、６ｇ（図２参照）を緩めた上で、仰角調整ボルト１１を回転させてボルト軸方向に移動させ、仰角調整金具６の受け部６ｂを押し引きする。これにより、ボルト６ｇを支軸として仰角調整金具６を回動させ、アンテナ１０の仰角を変更する。そして、所望の仰角まで回動させた段階で、ボルト６ｅ、６ｇを締め付け、仰角調整金具６の設置角度を固定する。
【００３９】
以上のように、本実施の形態によれば、支持ポール２の軸線方向に分割された上クランプ３及び下クランプ４と、それらのクランプ３、４に連結ボルト９を通じて連結された方位角調整金具５とを備えるため、アンテナ方位角を調整するにあたり、両クランプ３、４の締め付けを緩めることなく、アンテナ１０の方位角を変更することができる。このため、アンテナ１０を適切に固定した状態で方位角を調整することができ、アンテナ１０の滑落事故を防止することが可能になる。
【００４０】
また、本実施の形態によれば、第１のシャフト７と螺合する方位角調整ボルト８ａを利用して方位角調整金具５を回動させるため、方位角調整金具５を回動させた直後において、第１のシャフト７のねじ孔と方位角調整ボルト８ａとの螺合により、ある程度の力で方位角調整金具５を固定することができる。このため、締結ナット８ｂ、８ｃによる締め付けに際して、不意に方位角調整金具５が動くのを抑制することができ、角度調整の精度を向上させることが可能になる。
【００４１】
さらに、本実施の形態によれば、上クランプ３と下クランプ４を方位角調整金具５の高さに対応する間隔で離間させるため、第１のシャフト７を除けば、方位角調整金具５の回動時に方位角調整金具５に当接する部材が存在せず、方位角調整金具５の可動範囲を広く確保することが可能になる。
【００４２】
また、本実施の形態によれば、上クランプ３、下クランプ４及び方位角調整金具５を別体で構成するため、個々の部品毎に必要な強度を確保すれば足り、各々の部品の軽量化、小型化及び簡略化を図ることができる。
【００４３】
また、取付構造の構成部品を成形するにあたって、複雑な形状であると、鋳型を使用した鋳造加工による一体加工が必要となり、材料的に脆弱になる虞があるが、本実施の形態にかかる上クランプ３、下クランプ４及び方位角調整金具５は、上述の通り、個々の部品を簡略的に構成し得るため、押し出し材を使用して成形することができる。その結果、材料靭性を確保し得ると同時に、製造時間を短縮することが可能になる。
【００４４】
次に、本発明にかかる取付構造の第２の実施形態について、図３及び図４を参照しながら説明する。尚、これらの図において、図１及び図２と同一の構成要素については、同一の符号を付し、その説明を省略する。
【００４５】
図３に示すように、取付構造２０においては、第１のシャフト２１の下端部が下クランプ４の受け金具４ａと離間し、上クランプ３と下クランプ４が完全に分離した状態とされる。このため、上クランプ３及び下クランプ４は、連結ボルト９を支軸として回動自在であるとともに、各々が独立して回動することができる。
【００４６】
取付構造２０を用いたアンテナ１０の取り付けにあたっては、第１の実施形態の場合と同様に、先ず、受け金具と押さえ金具の間隔を拡げた状態で、上クランプ３及び下クランプ４の中央に支持ポール２を通す。
【００４７】
その際、例えば、図３に示すように、支持ポール２に曲げ加工が施されていた場合には、図４に示すように、上クランプ３又は下クランプ４、或いはそれらの双方を回動させ、支持ポール２の曲がり具合に合わせて上クランプ３の中心軸３Ａと下クランプ４の中心軸４Ａとの位置をずらす。そして、上下のクランプ３、４の位置調整がある程度進んだ段階で、上クランプ３側の締結ナット３ｄ及び下クランプ４側の締結ナット４ｄを締め上げ、クランプ３、４の各々で支持ポール２を締め付ける。
【００４８】
尚、支持ポール２の側面に段差が形成されている場合には、上クランプ３側の受け金具３ａ及び押さえ金具３ｂの間隔と、下クランプ４側の受け金具４ａ及び押さえ金具４ｂの間隔とを相違させる。そして、各々のクランプ３、４において、受け金具及び押さえ金具の間隔を、クランプ位置での支持ポール２の径に適した大きさに調整し、その後は、上記の場合と同様、締結ナット３ｄ、４ｄを締め上げ、上クランプ３及び下クランプ４の各々を支持ポール２に締め付ける。
【００４９】
このように、本実施の形態によれば、クランプ３、４の各々を連結ボルト９を支軸として独立して回動自在に構成するため、支持ポール２の曲がり具合に応じて上下のクランプ３、４の位置を変更することができ、支持ポール２が曲がっていても取付構造２０を適切に装着することが可能になる。
【００５０】
また、上クランプ３側の受け金具３ａ及び押さえ金具３ｂの間隔と、下クランプ４側の受け金具４ａ及び押さえ金具４ｂの間隔とを別個に調整することができるため、支持ポール２に段差が生じている場合にも対応することが可能になる。
【００５１】
以上、本発明の実施の形態を説明したが、本発明は、上記構成に限定されるものではなく、特許請求の範囲に記載された発明の範囲内で種々の変更が可能である。
【００５２】
例えば、上記実施の形態においては、本発明にかかる取付構造をアンテナ取付金具に適用した場合を例示したが、本発明は、電源ユニット、通信ユニット及び監視カメラ等のアンテナ以外の物体を取り付ける場合にも広く適用することが可能である。
【００５３】
また、上記実施の形態においては、方位角調整金具５と仰角調整金具６の双方を備えるが、仰角調整金具６を省略し、方位角調整金具５にアンテナ１０（アンテナ保持金具１２）を取り付けるように構成してもよい。
【００５４】
さらに、上記実施の形態においては、上クランプ３及び下クランプ４からなる２つのクランプを備えるが、クランプの数は、３以上であってもよい。
【００５５】
また、上記実施の形態においては、上クランプ３と下クランプ４の間に方位角調整金具５を挟むように配置するが、図５に示すように、方位角調整金具５の両端の間に上下のクランプ３、４を配置してもよい。
【００５６】
さらに、上記実施の形態においては、押さえ金具３ｂが受け金具３ａと異なる構成を有するが、図６に示すように、受け金具３ａと同一構成の部材を押さえ金具３ｂとして流用してもよい。
【００５７】
また、上記実施の形態においては、単一のアンテナ１０を取り付ける場合を例示したが、図７に示すように、上下のクランプ３、４の両側に方位角調整金具５を連結し、さらに副アンテナ２２を取付可能としてもよい。この場合、同列に複数のアンテナを固定することができるため、装置の占有スペースを小さく抑えることができ、設置場所の制約を緩和することが可能になる。
【符号の説明】
【００５８】
１  取付構造
２  支持ポール
３  上クランプ
３ａ  受け金具
３ｂ  押さえ金具
３ｃ  締結ボルト
３ｄ  締結ナット
３ｅ  貫通孔
４  下クランプ
４ａ  受け金具
４ｂ  押さえ金具
４ｃ  締結ボルト
４ｄ  締結ナット
４ｅ  貫通孔
５  方位角調整金具
５ａ  金具本体
５ｂ  突出部
５ｃ  ねじ孔
５ｄ  第２のシャフト
５ｅ  第３のシャフト
６  仰角調整金具
６ａ  金具本体
６ｂ  受け部
６ｃ  貫通孔
６ｄ、６ｉ  接触部
６ｅ、６ｇ  ボルト
６ｆ  長孔
６ｊ  取付孔
６ｋ  留めピン
７  第１のシャフト
８ａ  方位角調整ボルト
８ｂ、８ｃ  締結ナット
９  連結ボルト
１０  アンテナ
１１  仰角調整ボルト
１２  アンテナ保持金具
２０  取付構造
２１  第１のシャフト
２２  副アンテナ
【図１】
2011023845.tif 000003
【図２】
2011023845.tif 000004
【図３】
2011023845.tif 000005
【図４】
2011023845.tif 000006
【図５】
2011023845.tif 000007
【図６】
2011023845.tif 000008
【図７】
2011023845.tif 000009
【図８】
2011023845.tif 000010